(57)【要約】【課題】  スペーサー・ボールの直径を小さくして荷重ボールの数量を増やす効能のほかに、更に荷重ボール転動のスムーズさを増進し、ボール・スクリューの作動効能を向上させること。【解決手段】  スペーサー部品の本体両端面に荷重ボールの球面にピッタリ合う凹部を設けると共に、前記両側凹部の凹弧中間に対応してスペーサー・ボールの直径より小さい間隔を設け、更にスペーサー部品の両側凹部中間部位に対応して横向きに両側凹部と相互に連通するボール装填穴を貫設し、スペーサー・ボールの装填口とする。前記ボール装填穴の両側円弧の間隔をスペーサー・ボールの直径よりやや大きく、そして両側の間隔をスペーサー・ボールの直径よりやや小さくすることによって、スペーサー・ボールがスペーサー部品に装填された後は、脱出する恐れのないようにする。【選択図】    図１
2007051679.tif 000002
【特許請求の範囲】
【請求項１】
主として弾力性材質で製作したスペーサー部品にスペーサー・ボールを装填することによって、スペーサー・ボール隣両側の荷重ボールとの接触転動関係を獲得するスペーサー・ボール配置装置であって、
前記スペーサー部品の両端面にそれぞれ両側荷重ボールの球面にピッタリ合う凹部を設け、
前記スペーサー部品の両側凹部に対応する中間部位に横向きに両側凹部が相互に連通するボール装填穴を貫設すると共に、貫通孔の径をスペーサー・ボールの直径よりやや小さくすることによってスペーサー・ボールが両側貫通孔及び隣り合わせの荷重ボールとの接触転動関係を獲得し、荷重ボールの円滑な転動を維持できるように構成したことを特徴とする、
スペーサー・ボール配置装置。
【請求項２】
前記スペーサー部品のボール装填穴は、概ね長円孔の形を呈し、その両端円弧間の間隔をスペーサー・ボールの直径よりやや大きく、両側の間隔をスペーサー・ボールの直径よりやや小さくしたことを特徴とする、請求項１に記載のスペーサー・ボール配置装置。
【請求項３】
前記スペーサー・ボールを前記ボール装填穴に入れた後、ボール装填穴の貫通孔両側凹部部位に位置決めされ、且つスムーズな転動を行えるようにしたことを特徴とする、請求項１に記載のスペーサー・ボール配置装置。
【請求項４】
前記凹部は、スペーサー部品の中央からスペーサー部品の両側へ低く傾斜した円錐状態をなすことを特徴とする、請求項１に記載のスペーサー・ボール配置装置。
【発明の詳細な説明】
【技術分野】
【０００１】
本発明は、ボール・スクリューのスペーサー・ボール配置装置に関し、主として、一般ボール・スクリューに使用される荷重ボールを区切ってスムーズに転動させるスペーサー・ボールに対して設計を行い、別途製作したスペーサー部品によってスペーサー・ボールを組み付け、且つ両側の荷重ボールとの接触・転動関係を保ち、スペーサー・ボールの直径寸法を縮減して荷重ボールの数量を増やすと共に、荷重ボール転動のスムーズさを向上させ、多くの産業利用価値をもたらすスペーサー・ボール配置装置に関するものである。
【背景技術】
【０００２】
一般のボール・スクリューは、その設計上、主としてスリーブとスクリューの間に設置した転動ボールによって回転のスムーズさを増進しており、転動ボールの設置に関しては、概ね同時にスクリュー及びスリーブに接触できる荷重ボール及び荷重ボールの直径よりやや小さいスペーサー・ボールを備え、前記スペーサー・ボールを間隔的に配列する方式で隣り合わせの荷重ボールの間に組み込み、これらのスペーサー・ボールは全く荷重を受けず、荷重ボールの回転動作を仕切り、且つ各荷重ボールを同一方向に転動させ、スクリューの回転をスムーズにする機能を果たしている。
【０００３】
しかし、この種のスペーサー・ボールの設置について言えば、若しスペーサー・ボールの直径が大きすぎる場合、荷重ボールの数量を大幅に減らす結果となり、スクリューの負担できる動的・静的荷重が小さくなる、若しスペーサー・ボールの直径を小さくすると、荷重ボールの数量を減らすことは出来るが、その反面、スペーサー・ボールの直径が小さすぎる為中心から偏移したピッチ・サークル・ダイヤメーターが多すぎて、ボール同士が押し合って転動のスムーズさを欠きやすい現象が起こり、改善が待たれていた。
【０００４】
上述の問題については、現在業者がプラスチック製のスペーサー部品を利用して荷重ボールの仕切り用とし、且つスペーサー部品の中に小径のスペーサーボールを嵌めることによって両側の荷重ボールとの接触・転動関係を保つ設計で、スペーサー部品の制限によってこれらの荷重ボールとスペーサーボールの釣合い関係を保ち、発生しうるボール同士の押し合い問題を避け、荷重ボールのより良い作動性を維持しようとしている。
【０００５】
しかし、この種のスペーサー部品は、スペーサー・ボールの中心から偏移したピッチ・サークル・ダイヤメーターが多すぎる問題を避け、発生しうるボール同士の押し合いを防止することが出来るので、スペーサー・ボールをかなり小さく設計し、荷重ボールの数量を増やすことが出来る反面、実際の組立て作業は容易でなく、スペーサー・ボールをスペーサー部品の中に有効に保持することが出来ないのみならず、スペーサー・ボールをスペーサー部品の中でスムーズに転動させることも出来ず、無形のうちに荷重ボールの作動性に影響するので、この設計の改善されるべき欠点となっている。
【０００６】
本発明者は、上述した従来のスペーサー部品に派生する各欠点に鑑み、極力新規改良を試み、且つ永年の苦心研鑽の末、ついに本案スペーサー・ボールの配置装置の研究開発を完成した。
【発明の開示】
【発明が解決しようとする課題】
【０００７】
本発明の目的は、構造の構成設計を経て、スペーサー・ボールの直径を小さくして荷重ボールの数量を増やす効能のほかに、更に荷重ボール転動のスムーズさを増進し、ボール・スクリューの作動効能を向上させることにある。
本発明のもう一つの目的は、構造の構成設計を経て、スペーサー・ボールをスペーサー部品に装填する作業を一層容易にし、且つスペーサー部品の中にスペーサー・ボールを有効に位置決めすると共に、両側の荷重ボールとの接触・転動関係を保たせることにある。
本発明のもう一つ別の目的は、構造の構成設計を経て、スペーサー・ボールがスペーサー部品の中でスムーズに転動でき、且つスペーサー部品から脱出する恐れのないようにすることにある。
【課題を解決するための手段】
【０００８】
上記発明の目的を達成できるスペーサー・ボール配置装置は、構造の設計において、主としてスペーサー部品の両側面に荷重ボール球面にピッタリ合う凹部を凹設すると共に、前記両側面凹部の凹弧中間に対応する間隔をスペーサー・ボールの直径よりやや小さくし、更にスペーサー部品の両側面凹部中間部位に対応して横向きにボールの装填穴を貫設し、且つ両側面凹部と相互に貫通させ、スペーサー・ボールを装填できるようにする、前記ボール装填穴は、ほぼ長孔形をなし、その両端円弧の間隔をスペーサー・ボールの直径よりやや大きく、そして両側の間隔をスペーサー・ボールの直径よりやや小さくし、スペーサー部品の材質固有の弾力性を利用してスペーサー・ボールを押し込んで装填した後は、脱落する恐れがなく、これによってスペーサー・ボールと両側荷重ボールの接触関係を保ち、スペーサー・ボールの作用によって荷重ボールの転動を一層スムーズにする。
前記スペーサー部品のボール装填穴は、概ね長円孔の形を呈し、その両端円弧間の間隔をスペーサー・ボールの直径よりやや大きく、両側の間隔をスペーサー・ボールの直径よりやや小さくしたことを特徴とする。
前記スペーサー・ボールを前記ボール装填穴に入れた後、ボール装填穴の貫通孔両側凹部部位に位置決めされ、且つスムーズな転動を行えるようにしたことを特徴とする。
前記凹部は、スペーサー部品の中央からスペーサー部品の両側へ低く傾斜した円錐状態をなすことを特徴とする。
【発明の効果】
【０００９】
本発明に係るボール・スクリューのスペーサー・ボール配置装置は従来技術と比較すると下記のような長所がある。
（１）横向きに開けたボール装填穴の設計と、スペーサー部品自体の材質弾力性によって、前記スペーサー・ボールをボール装填穴の上方に置いた後、容易く前記スペーサー・ボールを外力によってボール装填穴の中に押し込むことが出来てボールの装填が容易である。
（２）前記ボール装填穴の両側間隔がスペーサー・ボールの直径よりやや小さいことを利用して、スペーサー・ボールをボール装填穴の中に入れた後、ボール装填穴と両側凹部の貫通部位に制限して脱出させることがなく、安定した位置決めができる。
（３）ボール装填穴の両端の円弧間隔がスペーサー・ボールの直径よりやや大きく、両側凹部の貫通孔の設置に伴って、スペーサー・ボールをスペーサー部品の内部に制限しながら、スムーズに転動させることが出来、且つ両側荷重ボールの転動をスムーズに保つことが出来る。
【発明を実施するための最良の形態】
【００１０】
以下、添付図面を参照して本発明の好適な実施の形態を詳細に説明する。
図１及び図２の構造略図と、図３及び図４の構造平面略図と、図５の構造関係略図は、本発明の好ましい実施例を示す図である。
【００１１】
本発明に係るスペーサー・ボールの配置装置は、主として、小径のスペーサー・ボール２０を装填できるスペーサー部品１０によって、スペーサー・ボール２０の隣両側にある荷重ボール３０・４０との接触転動関係を保つ。
【００１２】
前記スペーサー部品１０は、プラスチック又はその他やや弾力性を有する材質によって作られた円柱形の本体で、その直径寸法は荷重ボール３０・４０の直径よりやや小さく、組み付けた後はスクリューやスリーブに接触しないようになっている。
【００１３】
前記スペーサー部品１０の両端面にはそれぞれ両側の荷重ボール３０・４０球面にピッタリ合う円錐状凹部１１・１２を凹設し、且つ前記凹部１１・１２は、スペーサー部品１０の中央からスペーサー部品１０の両側へ低く傾斜した形で円錐状態を形成し、且つ前記両側凹部１１・１２の凹弧中間に対応する間隔をスペーサー・ボール２０の直径よりやや小さくする。
【００１４】
更にスペーサー部品１０の両側面凹部１１・１２の中間部位に対応して横向きにボール装填穴１３を貫設し、且つ前記装填穴１３と両側面凹部１１・１２とを相互に貫通させる。
その貫通孔１１１・１２１の径寸法はスペーサー・ボール２０の直径よりやや小さくしてある。
【００１５】
前記ボール装填穴１３は、概ね長円孔の形をなし、その両端円弧の間隔をスペーサー・ボール２０の直径よりやや大きく、そして両側の間隔をスペーサー・ボール２０の直径よりやや小さくし、スペーサー部品１０材質固有の弾力性を利用してスペーサー・ボール２０を前記ボール装填穴１３に押し込んで装填した後は、脱落する恐れがなく、且つ前記スペーサーボール２０が前述の貫通孔１１１・１２１及び両側の荷重ボール３０・４０と接触関係を保つことが出来るようにする。
【００１６】
このように、上記構造の構成設計を経て、前記スペーサー部品１０のボール装填穴１３の設計によって、前記スペーサー・ボール２０はスペーサー部品１０自体の材質弾力特性を利用して初めてボール装填穴１３へ入れ込むことが出来る。
【００１７】
一旦スペーサー・ボール２０をボール装填穴１３へ入れた後は、ボール装填穴１３の両側の間隔がスペーサー・ボール２０の直径よりやや小さいため、前記スペーサー・ボール２０がボール装填穴１３と両側凹部１１・１２の貫通部位に保持されて脱出するようなことがない。
且つ前記スペーサー・ボール２０は局部的に両側貫通孔１１１・１２１によって荷重ボール３０・４０との接触関係を保つことが出来ると共に、ボール装填穴１３両端円弧の間隔がスペーサー・ボール２０の直径よりやや大きいため、スペーサー・ボール２０のスペーサー部品１０内におけるスムーズな転動を確保することが出来る。
【００１８】
そうすると、前記スペーサー部品１０の設置によって、スペーサー・ボール２０と両側荷重ボール３０・４０との接触転動関係を有効に獲得・維持することが出来る。
これによって、これらの荷重ボール３０・４０がスペーサー・ボール２０の仕切りと転介作用によって、スムーズな転動効能を維持し、スペーサー・ボール２０がピッチサークルの直径から変位して押し合う恐れがない。
従って、スペーサー・ボール２０の径寸法を一層小さく設計し、荷重ボール３０・４０の設置数量を増加することができて、ボール・スクリューの回転を大幅に向上させることが出来る。
以上の説明により、本発明が提供するスペーサー・ボール配置装置は、スペーサー・ボール２０及びスペーサー部品１０の組合わせや両側荷重ボール３０・４０との接触・転動関係を獲得できる。
【００１９】
上述した本発明に係るボール・スクリューのスペーサー・ボール配置装置は従来技術と比較すると、更に下記のような長所がある。
（１）横向きに開けたボール装填穴１３の設計と、スペーサー部品１０自体の材質弾力性によって、前記スペーサー・ボール２０をボール装填穴１３の上方に置いた後、容易く前記スペーサー・ボール２０を外力によってボール装填穴１３の中に押し込むことが出来る。
（２）前記ボール装填穴１３両側の間隔がスペーサー・ボール２０の直径よりやや小さいことを利用して、スペーサー・ボール２０をボール装填穴１３の中に入れた後、ボール装填穴１３と両側凹部１１・１２の貫通部位に制限して脱出させることがないので、安定した位置決めができる。
（４）ボール装填穴１３の両端の円弧間隔がスペーサー・ボール２０の直径よりやや大きく、両側凹部１１・１２の貫通孔１１１・１２１の設置に伴って、スペーサー・ボール２０をスペーサー部品１０の内部に制限しながら、スムーズに転動させることが出来、且つ両側荷重ボール３０・４０の転動をスムーズに保つことが出来る。
【００２０】
以上を総合すると、本発明に係るボール・スクリューのスペーサー・ボール配置装置は、スペーサー部品の構造設計によって、特にスペーサー・ボールの組立て配置の面で、適当な位置決めをもたらし、且つ隣両側の荷重ボールと理想的な接触転動の関係を保つことによって、スペーサー・ボールの径寸法を縮減し、荷重ボールの数量を増やすほか、更に荷重ボール転動のスムーズさを向上させ、従来の同類物品に存在する欠点を有効に解決することが出来る。
【００２１】
上述の詳細な説明は本発明の好ましい実施形態の具体的な説明であり、この実施例は本発明の特許請求範囲を制限するものではなく、凡そ本発明の技術的思想技を逸脱しない同等の効果の実施又は変更は、全て本発明に含まれるものである。
【図面の簡単な説明】
【００２２】
【図１】本発明の好ましい実施例におけるスペーサー部品の構造略図である。
【図２】本発明の好ましい実施例におけるスペーサー部品の別の角度の構造略図である。
【図３】本発明の好ましい実施例におけるスペーサー部品とスペーサー・ボールの平面構造略図である。
【図４】本発明の好ましい実施例におけるスペーサー部品とスペーサー・ボールの側面構造略図である。
【図５】本発明の好ましい実施例におけるスペーサー部品とスペーサー・ボール及び荷重ボールの構造関係略図である。
【符号の説明】
【００２３】
１０・・・・・・・スペーサー部品
１１，１２・・・・凹部
１３・・・・・・・ボール装填穴
２０・・・・・・・スペーサー・ボール
３０，４０・・・・荷重ボール
１１１，１２１・・貫通孔
【図１】
2007051679.tif 000003
【図２】
2007051679.tif 000004
【図３】
2007051679.tif 000005
【図４】
2007051679.tif 000006
【図５】
2007051679.tif 000007